(57)【特許請求の範囲】
【請求項１】
複数の端末装置を収容する複数の端末インタフェース部と、網側の回線を収容する網インタフェース部と、前記網が採用するプロトコルにより定まる一定単位のデータの固まりであるパケット型データを、前記端末インタフェース部から受信して、所定の優先順に従い前記網インタフェース部へ送信する優先制御部とを有し、前記複数の端末装置より受信したパケット型データを多重化して前記網側の回線に送信する多重化装置であって、
前記複数の端末インタフェース部の各々は、
前記端末装置より送信されたデータを受信する端末回線インタフェース部と、
前記端末回線インタフェース部が受信したデータをパケット型データに変換するデータ変換部と、を備え、
前記優先制御部は、
前記複数の端末インタフェース部の各々に対応し、前記端末インタフェース部より送信されたパケット型データを格納する複数のバッファ部と、
前記複数のバッファ部の各々に格納されたパケット型データを、パケット型データに含まれる優先順位の高い順に前記網インタフェース部に送信する読み出し制御部と、
を備えたことを特徴とする多重化装置。
【請求項２】
請求項１記載の多重化装置であって、
前記バッファ部および前記網インタフェース部間のパケット型データの伝送速度は、前記網側の回線の伝送速度と一致していることを特徴とする多重化装置。
【請求項３】
請求項１または２記載の多重化装置であって、
前記複数の端末インタフェース部の各々は、電話機を含む音声端末装置を収容する音声端末インタフェース部、データ端末装置を収容するデータ端末インタフェース部、ＦＲ端末装置を収容するＦＲ端末インタフェース部、のいずれかであることを特徴とする多重化装置。
【発明の詳細な説明】
【０００１】
【発明の属する技術分野】
本発明は、複数の端末側よりの回線から受信したデータを、多重化して、網側の回線上に送信すると共に、前記網側の回線から受信した多重化されたデータを、分離して、前記複数の端末側よりの回線上に送信する多重化装置に関する。
【０００２】
【従来の技術】
従来の多重化装置の構成を図５に示す。
【０００３】
図中、符号２１〜２３は端末インタフェース部である。ここで、端末インターフェース部２１は、電話機６等の音声端末を収容したＰＢＸ（Private Branch Exchange）５を収容する音声回線インターフェース部である。端末インターフェース部２２は、データ端末４を収容するデータ回線インターフェース部である。そして、端末インターフェース部２３は、ＦＲ（Frame Relay）端末３を収容するＦＲ回線インタフェース部である。また、符号２４は、網１側の回線を収容する網インタフェース部である。
【０００４】
端末インタフェース部２１〜２３および網インタフェース部２４は、内部バス２６で接続されており、この内部バス２６を介してデータを送受する。また、符号２５は、内部バス２６のバス使用権の調停を行う内部バス制御部２５である。
【０００５】
さて、端末インタフェース部２１〜２３において、端末から送信されたデータは、端末側回線インタフェース部２１１で受信された後、組立/分解部２８により、ＡＴＭセルやＩＰパケットといった、網１が採用するプロトコルにより定まる、宛先が付与された一定単位のデータの固まり（以下、これらを総称して、パケット型データと呼ぶこととする）に変換される。そして、内部バスインタフェース部２７１から内部バス２６に送信される。また、端末インタフェース部２１〜２３において、内部バス２６を介して網インタフェース部２４から送信されたパケット型データは、内部バスインタフェース部２７１で受信された後、組立/分解部２８で分解されて、データが抽出される。そして、抽出されたデータは、端末側回線インタフェース部２１１より端末に送信される。
【０００６】
一方、網インタフェース部２４において、内部バス２６を介して端末インタフェース部２１〜２３から送信されたパケット型データは、内部バスインタフェース部２７２で受信された後、網同期化部２４１を介して、優先制御部２４２へ送られて、一旦、優先制御用バッファ２４３に格納される。その後、網同期化部２４１により、パケット型データのヘッダに格納されている優先順位の高いパケット型データから順番に、網１側の回線に同期化されて、網１側の回線に送信される。また、網インタフェース部２４において、網１側の回線から送信されたパケット型データは、網同期化部２４１で受信された後、内部バスインタフェース部２７２から内部バス２６に送信され、上述のように、端末インターフェース部２１〜２３で受信される。
【０００７】
また、網インタフェース部２４において、クロック抽出部２４４は、網１側の回線に同期した網クロックを抽出し、これを内部バス制御部２５に送る。内部バス制御部２５のクロック生成部２５１は、この網クロックから、内部バス２６や端末インターフェース部２１〜２３の動作クロックを生成して分配する。
【０００８】
【発明が解決しようとする課題】
従来の多重化装置は、上述のように、内部バス２６を介して、端末インタフェース部２１〜２３および網インタフェース部２４間のパケット型データの送受を行う構成を採用している。このため、端末インタフェース部２１〜２３および網インタフェース部２４のそれぞれに内部バスインタフェース部２７１、２７２が必要となる。さらに、内部バス２６のバス使用権を調停する内部バス制御部２５も必要となる。これらが多重化装置の回路規模の大型化の要因となっている。
【０００９】
本発明は、上記事情に鑑みてなされたものであり、本発明の目的は、多重化装置の回路規模を縮小できるようにすることにある。
【００１０】
【課題を解決するための手段】
上記課題を解決するために、本発明の多重化装置は、それぞれが端末側の回線を収容する複数の端末インタフェース部と、前記複数の端末インタフェース部のそれぞれに１対１で接続されたバッファ部と、網側の回線を収容する、前記バッファ部に接続された網インタフェース部と、を有する。
【００１１】
前記複数の端末インタフェース部各々は、前記端末側の回線から受信したデータをパケット型データに変換して、前記バッファ部に送信する。また、前記バッファ部から受信したパケット型データを分解してデータを抽出し、前記端末側の回線上に送信する。
【００１２】
前記バッファ部は、前記複数の端末インタフェース部から受信したパケット型データを格納するパケット型データ格納部を有する。そして、前記バッファ部は、前記パケット型データ格納部からパケット型データを順次読み出して、前記網インタフェース部に送信する。また、前記網インタフェース部から送信されたパケット型データを受信し、当該パケット型データの宛先に応じた前記端末インタフェース部を選択し、選択した端末インターフェース部に当該パケット型データを送信する。
【００１３】
前記網インタフェース部は、前記バッファ部から送信されたパケット型データを受信し、当該パケット型データを、前記網側の回線に同期化して、前記網側の回線に送信する。また、前記網側の回線から送信されたパケット型データを受信し、当該パケット型データを、前記バッファ部に送信する。
【００１４】
本発明によれば、前記の構成により、内部バスを使用していないので、図５に示した端末インターフェース部２１〜２３および網インターフェース部２４のそれぞれの内部バスインタフェース部２７１、２７２や、内部バス２６のバス使用権を調停する内部バス制御部２５が不要となる。これにより、多重化装置の回路規模の小型化を促進することができる。
【００１５】
【発明の実施の形態】
以下、本発明の実施の形態について説明する。
【００１６】
先ず、本発明の第１実施形態について説明する。
【００１７】
図１に、本発明の第１実施形態が適用されたＡＴＭ（Asynchronous Transfer Mode）多重化装置を用いた通信システムの構成を示す。
【００１８】
図中、符号１ａはＡＴＭ網、符号３はＦＲ端末、符号４はデータ端末、符号５はＰＢＸ、符号６は電話機等の音声端末、そして、符号２ａは、本発明の第１実施形態が適用されたＡＴＭ多重化装置である。
【００１９】
このような構成において、ＡＴＭ多重化装置２ａは、自身が収容するＦＲ端末３やデータ端末４やＰＢＸ５から、受信したデータを多重化して、ＡＴＭ網１ａ側の回線に送信する。また、ＡＴＭ網１ａ側の回線から受信した多重化されたデータを分離して、ＦＲ端末３やデータ端末４やＰＢＸ５に送信する。これにより、自身が収容するＦＲ端末３やデータ端末４やＰＢＸ５と、ＡＴＭ網１ａを介して対向するＡＴＭ多重化装置２ａが収容するＦＲ端末３やデータ端末４やＰＢＸ５との間の通信を可能とする。
【００２０】
図２に、図１に示すＡＴＭ多重化装置２ａの構成を示す。
【００２１】
図中、符号２１ａ〜２３ａは端末インタフェース部である。ここで、端末インターフェース部２１ａは、電話機６等の音声端末を収容したＰＢＸ５を収容する音声回線インターフェース部である。端末インターフェース部２２ａは、データ端末４を収容するデータ回線インターフェース部である。そして、端末インターフェース部２３ａは、ＦＲ端末３を収容するＦＲ回線インタフェース部２３である。また、符号２４ａは、ＡＴＭ網１ａの回線を収容するＡＴＭ網インタフェース部、符号２４２ａは、端末インターフェース部２１ａ〜２３ａ毎に優先制御用バッファ２４３ａを備えた優先制御部、そして、符号２５１ａは、クロック生成部である。
【００２２】
ここで、端末インタフェース部２１ａ〜２３ａ各々は、優先制御部２４２ａ内の対応する優先制御用バッファ２４３ａと１対１で直接（つまり、内部バスを介さないで）接続されている。各優先制御部用バッファ２４３ａは、対応する端末インタフェース部２１ａ〜２３ａとＡＴＭセルの送受を直接行なう。
【００２３】
さて、端末インタフェース部２１ａ〜２３ａにおいて、端末から送信されたデータは、端末側回線インタフェース部２１１ａで受信された後、セル組立/分解部２８ａでＡＴＭセルに格納される。それから、ＡＴＭセルは、優先制御部２４２ａ内の対応する優先制御用バッファ２４３ａに送信される。また、端末インタフェース部２１ａ〜２３ａにおいて、優先制御部２４２ａ内の対応する優先制御用バッファ２４３ａから送信されたＡＴＭセルは、セル組立/分解部２８ａで分解されてデータが抽出される。そして、抽出されたデータは、端末側回線インタフェース部２１１ａより端末に送信される。
【００２４】
優先制御部２４２ａ内の各優先制御用バッファ２４３ａは、対応する端末インタフェース部２１ａ〜２３ａから送信されたＡＴＭセルを格納する。優先制御部２４２ａは、各優先制御用バッファ２４３ａの内容を検索し、各優先制御用バッファ２４３ａに格納されているＡＴＭセルを、そのＡＴＭセルのヘッダに格納されている優先順位の高いＡＴＭセルから順番に読み出して、ＡＴＭ網インタフェース部２４ａに送信する。また、優先制御部２４２ａは、ＡＴＭ網インタフェース部２４ａから送信されたＡＴＭセルを受信して、そのＡＴＭセルの宛先に応じた端末インタフェース部２１ａ〜２３ａを選択する。そして、選択した端末インタフェース部２１ａ〜２３ａに当該ＡＴＭセルを送信する。
【００２５】
ＡＴＭ網インタフェース部２４ａにおいて、優先制御部２４２ａから送信されたＡＴＭセルは、網同期化部２４１ａで受信され、その後、ＡＴＭ網１ａの回線に同期化されて、ＡＴＭ網１ａの回線に送信される。また、ＡＴＭ網インタフェース部２４ａにおいて、ＡＴＭ網１ａの回線から送信されたＡＴＭセルは、網同期化部２４１で受信されて優先制御部２４２ａへ送信される。また、ＡＴＭ網インタフェース部２４ａにおいて、クロック抽出部２４４ａは、ＡＴＭ網１ａの回線に同期した網クロックを抽出する。
【００２６】
クロック生成部２５１ａは、クロック抽出部２４４ａが抽出した網クロックから、優先制御部２４２ａや端末インターフェース部２１ａ〜２３ａの動作クロックを生成して分配する。
【００２７】
このような構成において、本実施形態では、優先制御部２４２ａおよびＡＴＭ網インタフェース部２４ａ間のＡＴＭセルの送受を、クロック抽出部２４４ａが抽出した網クロックに同期させて、つまり、ＡＴＭ網１ａの回線の伝送速度と同じ速度で行なわせるようにしている。したがって、ＡＴＭ網インタフェース部２４ａに、速度調整用のバッファを別途設ける必要はない。また、これにより、ＡＴＭ網１ａの回線の様々な伝送速度に対応できるようになる。
【００２８】
なお、端末インタフェース部２１ａ〜２３ａおよび優先制御部２４２ａ間のＡＴＭセルの送受の速度は、端末インタフェース部２１ａ〜２３ａにおいてＡＴＭ網１ａの回線に送信するＡＴＭセルが失われず、かつ、優先制御部２４２ａにおいて端末に送信するデータが失われない速度であればよい。
【００２９】
以上、本発明の第１実施形態について説明した。
【００３０】
本実施形態によれば、端末インタフェース部２１ａ〜２３ａ各々は、優先制御部２４２ａ内の対応する優先制御用バッファ２４３ａと１対１で直接接続されている。つまり、本実施形態のＡＴＭ多重化装置２ａは、内部バスを使用しない構成を採用している。したがって、従来必要であった、端末インタフェース部２１ａ〜２３ａおよびＡＴＭ網インタフェース部２４ａのそれぞれの内部バスインタフェース部や、内部バスのバス使用権を調停する内部バス制御部を設ける必要がなくなる。これにより、ＡＴＭ多重化装置の回路規模を小型化することができる。
【００３１】
次に、本発明の第２実施形態について説明する。
【００３２】
図３に、本発明の第２実施形態が適用されたＩＰ（Internet Protocol）多重化装置を用いた通信システムの構成を示す。ここで、図１に示すものと同じ機能を有するものには、同じ符号を付している。
【００３３】
図中、符号１ｂはＩＰ網、そして、符号２ｂは、本発明の第２実施形態が適用されたＩＰ多重化装置である。
【００３４】
このような構成において、ＩＰ多重化装置２ｂは、自身が収容するＦＲ端末３やデータ端末４やＰＢＸ５から、受信したデータを多重化して、ＩＰ網１ｂ側の回線に送信する。また、ＩＰ網１ｂ側の回線から受信した多重化されたデータを分離して、ＦＲ端末３やデータ端末４やＰＢＸ５に送信する。これにより、自身が収容するＦＲ端末３やデータ端末４やＰＢＸ５と、ＩＰ網１ｂを介して対向するＩＰ多重化装置２ｂが収容するＦＲ端末３やデータ端末４やＰＢＸ５との間の通信を可能とする。
【００３５】
図４に、図３に示すＩＰ多重化装置２ｂの構成を示す。ここで、図２に示すものと同じ機能を有するものには、同じ符号を付している。
【００３６】
図中、符号２１ｂ〜２３ｂは端末インタフェース部である。ここで、端末インターフェース部２１ｂは、電話機６等の音声端末を収容したＰＢＸ５を収容する音声回線インターフェース部である。端末インターフェース部２２ｂは、データ端末４を収容するデータ回線インターフェース部である。そして、端末インターフェース部２３ｂは、ＦＲ端末３を収容するＦＲ回線インタフェース部２３である。また、符号２４ｂは、ＩＰ網１ｂの回線を収容するＩＰ網インタフェース部である。
【００３７】
ここで、端末インタフェース部２１ｂ〜２３ｂ各々は、優先制御部２４２ａ内の対応する優先制御用バッファ２４３ａと１対１で直接（つまり、内部バスを介さないで）接続されている。各優先制御部用バッファ２４３ａは、対応する端末インタフェース部２１ｂ〜２３ｂとＩＰパケットの送受を直接行なう。
【００３８】
さて、端末インタフェース部２１ｂ〜２３ｂにおいて、端末から送信されたデータは、端末側回線インタフェース部２１１ａで受信された後、パケット組立/分解部２８ｂでＩＰパケットに変換される。それから、ＩＰパケットは、優先制御部２４２ａ内の対応する優先制御用バッファ２４３ａに送信される。また、端末インタフェース部２１ｂ〜２３ｂにおいて、優先制御部２４２ａ内の対応する優先制御用バッファ２４３ａから送信されたＩＰパケットは、パケット組立/分解部２８ｂで分解されてデータが抽出される。そして、抽出されたデータは、端末側回線インタフェース部２１１ａより端末に送信される。
【００３９】
優先制御部２４２ａ内の各優先制御用バッファ２４３ａは、対応する端末インターフェース部２１ｂ〜２３ｂから送信されたＩＰパケットを格納する。優先制御部２４２ａは、各優先制御用バッファ２４３ａの内容を検索し、各優先制御用バッファ２４３ａに格納されているＩＰパケットを、そのＩＰパケットのヘッダに格納されている優先順位の高いＩＰパケットから順番に読み出して、ＩＰ網インタフェース部２４ｂに送信する。また、優先制御部２４２ａは、ＩＰ網インタフェース部２４ｂから送信されたＩＰパケットを受信して、そのＩＰパケットの宛先（ＩＰアドレス）に応じた端末インターフェース部２１ｂ〜２３ｂを選択する。そして、選択した端末インターフェース部２１ｂ〜２３ｂに当該ＩＰパケットを送信する。
【００４０】
ＩＰ網インタフェース部２４ｂにおいて、優先制御部２４２ａから送信されたＩＰパケットは、網同期化部２４１ｂで受信され、その後、ＩＰ網１ｂの回線に同期化されて、ＩＰ網１ｂの回線に送信される。また、ＩＰ網インタフェース部２４ｂにおいて、ＩＰ網１ｂの回線から送信されたＩＰパケットは、網同期化部２４１ｂで受信されて優先制御部２４２ａへ送信される。また、ＩＰ網インタフェース部２４ｂにおいて、クロック抽出部２４４ｂは、ＩＰ網１ｂの回線に同期した網クロックを抽出する。
【００４１】
クロック生成部２５１ａは、クロック抽出部２４４ｂが抽出した網クロックから、優先制御部２４２ａや端末インターフェース部２１ｂ〜２３ｂの動作クロックを生成して分配する。
【００４２】
このような構成において、本実施形態では、優先制御部２４２ａおよびＩＰ網インタフェース部２４ｂ間のＩＰパケットの送受を、クロック抽出部２４４ｂが抽出した網クロックに同期させて、つまり、ＩＰ網１ｂの回線の伝送速度と同じ速度で行なわせるようにしている。したがって、ＩＰ網インタフェース部２４ｂに、速度調整用のバッファを別途設ける必要はない。また、これにより、ＩＰ網１ｂの回線の様々な伝送速度に対応できるようになる。
【００４３】
なお、端末インターフェース部２１ｂ〜２３ｂおよび優先制御部２４２ａ間のＩＰパケットの送受の速度は、端末インターフェース部２１ｂ〜２３ｂにおいてＩＰ網１ｂの回線に送信するＩＰパケットが失われず、かつ、優先制御部２４２ａにおいて端末に送信するデータが失われない速度であればよい。
【００４４】
以上、本発明の第２実施形態について説明した。
【００４５】
本実施形態も、上記の第１実施形態と同様に、端末インターフェース部２１ｂ〜２３ｂ各々が優先制御部２４２ａ内の対応する優先制御用バッファ２４３ａと１対１で直接接続されている。つまり、本実施形態のＩＰ多重化装置２ｂは、内部バスを使用しない構成を採用している。したがって、従来必要であった、端末インターフェース部２１ｂ〜２３ｂおよびＩＰ網インタフェース部２４ｂのそれぞれの内部バスインタフェース部や、内部バスのバス使用権を調停する内部バス制御部を設ける必要がなくなる。これにより、ＩＰ多重化装置の回路規模を小型化することができる。
【００４６】
なお、本発明は、上記の各実施形態に限定されるものではなく、その要旨の範囲内で数々の変形が可能である。
【００４７】
例えば、上記の各実施形態では、端末インターフェース部毎に優先制御用バッファ２４３ａを設け、各優先制御用バッファ２４３ａを対応する端末インターフェース部に１対１で直接接続する構成を採用している。しかし、本発明はこれに限定されない。優先制御部２４２ａに、端末インターフェース部毎の入出力インターフェース部を設けるようにしてもよい。そして、各入出力インターフェース部を対応する端末インターフェース部に１対１で直接接続する構成としてもよい。この場合、優先制御部２４２ａが優先制御用バッファ２４３ａへの書き込みおよび読み出しを制御することにより、優先制御用バッファ２４３ａは、１つでも構わない。
【００４８】
また、上記の第１、第２実施形態では、それぞれ、ＡＴＭ網１ａと接続するＡＴＭ多重化装置、ＩＰ網１ｂと接続するＩＰ多重化装置を例にとり説明した。しかし、本発明はこれらに限定されない。本発明は、複数の端末よりの回線を収容し、各端末からのデータをパケット型データに変換し、これらを多重化して網に送信する多重化装置に広く適用できる。
【００４９】
【発明の効果】
以上説明したように、本発明によれば、多重化装置の回路規模を縮小することができる。
【図面の簡単な説明】
【図１】本発明の第１実施形態が適用されたＡＴＭ多重化装置を用いた通信システムの構成を示したブロック図である。
【図２】図１に示すＡＴＭ多重化装置の構成を示したブロック図である。
【図３】本発明の第２実施形態が適用されたＩＰ多重化装置を用いた通信システムの構成を示したブロック図である。
【図４】図３に示すＩＰ多重化装置の構成を示したブロック図である。
【図５】従来の多重化装置の構成を示したブロック図である。
【符号の説明】
１ａ…ＡＴＭ網
１ｂ…ＩＰ網
２ａ…ＡＴＭ多重化装置
２ｂ…ＩＰ多重化装置
３…ＦＲ端末
４…データ端末
５…ＰＢＸ
６…電話機
２１ａ〜２３ａ、２１ｂ〜２３ｂ…端末インターフェース部
２４ａ…ＡＴＭ網インターフェース部
２４ｂ…ＩＰ網インターフェース部
２８ａ…セル組立/分解部
２８ｂ…パケット組立/分解部
２１１ａ…端末側回線インターフェース部
２４１ａ、２４１ｂ…網同期化部
２４２ａ…優先制御部
２４３ａ…優先制御用バッファ
２４４ａ、２４４ｂ…クロック抽出部
２５１ａ…クロック生成部
【図１】
0004336052.tif 000002
【図２】
0004336052.tif 000003
【図３】
0004336052.tif 000004
【図４】
0004336052.tif 000005
【図５】
0004336052.tif 000006